Podtech/llm-jp-corpus-v4-ja_patent huggingface dataset:
(57)【要約】      （修正有）【課題】空手競技等で使用する拳サポーターに空隙を設け、軽量化と安全性を高めるためにエアークッション層を設け、手指や手甲を保護し、相手方の衝撃を柔らげる拳サポータを提供する。【解決手段】拳サポーター内部のスポンジ系又はゴム系の手指部及び手の甲の部分に、空気流通孔９を有する袋状に一部くり抜いた空気層５を設け、更に、空気層の外側に設けたエアークッション層６のスポンジによりクッション性を向上させたので、衝撃をどの方面から受けても対応出来、ソフトな感じで競技をする事が出来さらに安全性にも富むことを特徴とする。【選択図】図５
0003190240.tif 000002
【実用新案登録請求の範囲】
【請求項１】
手を保護するために、手を挿入して使用する拳サポーターの手指部と手甲部分に空気流通孔を有する袋状の空気層を設け、更に、前記空気層の外側にエアークッション層を設けたことを特徴とする拳サポーター。
【考案の詳細な説明】
【技術分野】
【０００１】本考案は空手競技等で使用する拳サポーターに空隙（以下エアークッション層と略称）を設け、軽量化と安全性を高めるためにエアークッション層を設け、手指や手甲を保護し、相手方の衝撃を柔らげようとするものである。
【背景技術】
【０００２】従来型エアークッション拳サポーターは、内部にジャバラ式の層を設け、空気流通により衝撃吸収をしているが、そのジャバラ式はプラスチックで形成されており、側面に当たると効果を発揮されないので、素材のプラスチックをスポンジ系で被覆しなければならない。
【先行技術文献】
【特許文献】
【０００３】
【特許文献１】実開昭６２−０６４５７４号  公開公報
【特許文献１】実用新案登録第３１０６９１１号  登録公報
【考案の開示】
【考案が解決しようとする課題】
【０００４】特許文献１の空手競技等で使用する拳サポーターは、手の保護又は衝撃を吸収し安全に競技をしようとするためのもので、エアークッション層を設けるに際し、従来はプラスチックでジャバラ状に成形され、スポンジ系で被覆されている。しかし、側面等からの衝撃に対して効果が発揮されない等の不具合がある。
【課題を解決するための手段】
【０００５】  そこで本考案では、手を保護するために手を挿入して使用する拳サポーターの手指部と手甲部分に空気流通孔を有する袋状の空気層を設け、更に、空気層の外側にエアークッション層を設けた。手指及び手の甲を守るために必要なエアークッション層は、クッション性に優れたスポンジ系、ゴム系で一体成形することにした。この事により四方八方の衝撃にも対応することが出来、一体化にしたため、コストダウンにもつながった。本考案に係る拳サポーターは、自らの手指及び手の甲を守る役目をすると同時に、相手に対しての衝撃を柔らげようとして考案した拳サポーターで、拳サポーター本体を手指と手首により固定し、手指部に衝撃を緩和するためのスポンジ系で保護するため、拳サポーターの手指部と手甲部分に、空気流通孔を有する袋状の空気層を設け、更に、空気層の外側にエアークッション層を設けて、手指部又は手の甲の部分の衝撃を吸収する仕組みとしたことにより、エアーによって、より効果的に衝撃を吸収し、又、クッション性を増すようにした。
【考案の効果】
【０００６】従来、市販されている単なるスポンジ系拳サポーターよりはるかに衝撃吸収率は良い。又、弾力性もあり衝撃吸収後、瞬時に復元した。更にエアークッション層の部分がより軽量化されコッスとダウンにもつながった。
【図面の簡単な説明】
【０００７】
【図１】本考案に係る実施例を示す拳サポーターの平面図
【図２】図１に図示の背面図
【図３】図１に図示の右側面図
【図４】図１に図示の左側面図
【図５】図３に図示の右側面から見た断面図
【図６】図２に図示の背面から見た断面図である。
【考案を実施するための形態】
【０００８】本考案に係る具体的実施例を図１から図６を参照して以下説明する。
【実施例】
【０００９】図１は本考案に係る実施例を示す拳サポーターの表面の平面図で、拳サポーターの表面カバー１に、手首を固定するバンド２を取付けて、その手首を固定するバンド２の表に、第１の面ファスナー７を取付けてた様子を示し、図２は手首を固定するバンド２の裏に、第２の面ファスナー８を取付けた様子を示す。拳サポーターを手に取付ける際は、拳サポーターの親指挿入部４に、図示省略の親指に入れ込み、更に、図２に図示する如く、図示省略の指を固定するバンド３で、指を完全に固定する。図３は図１に図示の拳サポーターを右側から見た右側面図で、図４は図１に図示の拳サポーターを左側から見た左側面図である。図５は、図３の断面図で、本考案の拳サポーターでは、手を保護するために手を挿入して使用する拳サポーターの手指部と手甲部分に空気流通孔９を有する袋状の空気層５を設け、更に、エアークッション層６（スポンジクッション材）で衝撃を柔らげる袋状の空気層５の空気流通孔９により、更に衝撃を吸収するためのエアーを外部に逃すことにより、より効果的で弾力性のあるスポンジ系で、瞬時に復元する仕組みになっている。
【産業上の利用可能性】
【００１０】本考案は、空手以外に格闘技、テコンドーや少林寺拳法等にも利用することも出来る。
【符号の説明】
【００１１】１．  拳サポーターの表面カバー
２．  手首を固定するバンド
３．  指を固定するバンド
４．  親指挿入部
５．  袋状の空気層
６．  エアークッション層（クッション材スポンジ系）
７．  第１の面ファスナー
８．  第２の面ファスナー
９．  空気流通孔
【図１】
0003190240.tif 000003
【図２】
0003190240.tif 000004
【図３】
0003190240.tif 000005
【図４】
0003190240.tif 000006
【図５】
0003190240.tif 000007
【図６】
0003190240.tif 000008
(57)【要約】      （修正有）【課題】自分専用と認識できる生地と生地の間にネーム等を入れる事の出来る自分専用スリッパを提供する。【解決手段】本考案はバンド２生地の上に、自分専用と認識できる名札等を入れる事ができるスリッパ１にした。これにより他人のスリッパを履かなくなる。また、スリッパの先端を特殊な技法を用いて湾曲４を持たせた。これにより、段差での躓きを防止できる。また、スリッパのバンド２の部分からアロマが香るようにした。これにより、温泉地での癒しを得る事ができる。【選択図】図２
0003190203.tif 000002
【実用新案登録請求の範囲】
【請求項１】
自分専用と認識できる生地と生地の間にネーム等を入れる事の出来る自分専用スリッパ。
【請求項２】
先端を特殊な技法を用いて湾曲にし、老若男女も躓きにくくした上記請求項１記載の自分専用スリッパ。
【請求項３】
デザインも重視し、アロマ等で香る上記請求項１若しくは２記載の自分専用スリッパ。
【考案の詳細な説明】
【技術分野】
【０００１】
温泉旅館等で宿泊客が使用する為のスリッパに関するものである。
【背景技術】
【０００２】
温泉地で使われているスリッパは、使い回しという方法がほとんどです。
【考案の概要】
【考案が解決しようとする課題】
【０００３】
現在、日本の温泉地で使われているスリッパは、使い回しという方法がほとんど  で、水虫の温床となっています。昨日まで誰が履いていたか分からないスリッパを大浴場に履いていき、入浴後は誰が履いてきたものか分からないスリッパを使い回しにし、館内を移動しなければならない。また、着慣れない浴衣での歩行になるので膝を上げての普段通りの動きがし辛く、摺り足に近い歩行になりがちになり、少しの段差でも躓き易くなってしまう。そして、温泉独特の硫黄の臭いがする場合もある。
【課題を解決するための手段】
【０００４】
上記の問題点を解決するために、本考案はバンド生地の上に、自分専用と認識できる名札等を入れる事ができるスリッパにした。これにより他人のスリッパを履かなくなる。また、スリッパの先端を特殊な技法を用いて湾曲を持たせた。これにより、段差での躓きを防止できる。また、スリッパのバンドの部分からアロマが香るようにした。これにより、温泉地での癒しを得る事ができる。
【図面の簡単な説明】
【０００５】
【図１】本考案の自分専用スリッパの実施例を示す平面図である。
【図２】本考案の自分専用スリッパの実施例を示す側面図である。
【考案を実施するための形態】
【実施例】
【０００６】
以下、添付図面に従って一実施例を説明する。スリッパは本体１と、それに縫い付けられたバンド部２から成る。上記バンド部には名札３が脱着自在に挿入されている。これにより他人のスリッパを履き間違える事がない。また、上記本体１の先端が上方に湾曲されている曲げ部４が形成されている。これにより、段差による躓きを抑制できる。そして、上記バンド部２には香料５が染み込まされている。それにより、癒しの効果を得る事ができる。
【符号の説明】
【０００７】
１  スリッパ本体
２  バンド部  
３  名札
４  曲げ部
５  香料
【図１】
0003190203.tif 000003
【図２】
0003190203.tif 000004
【手続補正書】
【提出日】平成26年2月21日(2014.2.21)
【手続補正１】
【補正対象書類名】実用新案登録請求の範囲
【補正対象項目名】全文
【補正方法】変更
【補正の内容】
【実用新案登録請求の範囲】
【請求項１】
本体とバンド部からなる自分専用スリッパであって、前記バンド部に名 
札が脱着可能に挿入されていることを特徴とする自分専用スリッパ。
【請求項２】
前記本体の先端が上方に湾曲されていることを特徴とする請求項1記載
の自分専用のスリッパ。
【請求項３】
前記バンド部に香料が染み込まされていることを特徴とする請求
項１又は２記載の自分専用スリッパ。
(57)【要約】      （修正有）【課題】ファッション性と磁気効果が同時に得られる装飾バンドを提供する。【解決手段】輪になった、伸縮性のあるバンド２に、飾り４を足の甲部分に取り付ける。バンド２の裏の足裏面に接触するところに磁石３を取り付ける。【選択図】図１
0003190209.tif 000002
【実用新案登録請求の範囲】
【請求項１】
足の甲にはめるバンドに、イメージの異なる、装飾具を取り付けたことを特徴とする、ファッション性のある、装飾バンド。
【請求項２】
バンドの裏の足裏面に接触するところに、磁石を取り付けた事を特徴とした請求項１に記載の装飾バンド。
【考案の詳細な説明】
【技術分野】
【０００１】
この考案は、足の甲に装飾を加えることにより、今までにないおしゃれを楽しめる。
【背景技術】
【０００２】
腕に付けるブレスレットや、髪に付けるヘアーバンド等の装飾具は、現在販売されているが、足元を飾りつけする物は無かった。
【考案の概要】
【考案が解決しようとする課題】
【０００３】
この考案は、足の甲部分を、オシャレに変身する事ができかつ、足先の冷えを防止する事ができるバンドを提供することを課題とする。
【課題を解決するための手段】
【０００４】
以上の課題を解決する為に、足の甲にはめるバンドで、伸び縮み出来るゴムを使用し、それを輪にし、甲になる部分に毛皮・羽毛・レース・スタッツ・毛糸・ボタン・布・ビーズ・石・プラスチック・紐等を付けて装飾する。また、前記バンドの裏の足裏との接触面上に、足裏のツボ刺激用に磁石の突起を設ける。
【考案の効果】
【０００５】
素足や、ストッキングを履いた上から装着し、足の甲にはめたバンドは、靴のデザインによって、上下する事ができ、靴と一体化しているように見える。足の甲の部分を飾るバンドのデザインも、オールシーズン楽しめる様に、例えば夏ならキラキラ装飾で、冬なら毛皮などのデザインを作成し、おしゃれが楽しめる。また、バンドの裏の足裏面に当たる場所に、磁石を取り付けたことにより、ツボに刺激を与え血行が良くなる効果があり、足の冷えに悩む女性達にも受け入れられる。同時に、つま先のないパンプスを、寒い時期に履かなければならない方にとっては、磁気により温かく、足の冷えの悩みも軽減される。
【図面の簡単な説明】
【０００６】
【図１】本考案の一実施形態を示した斜視図。
【図２】本考案の使用状態を示した斜視図。
【図３】磁石の側面図。
【図４】バンドの側面図
【考案を実施するための形態】
【０００７】
この考案の一実施形態を、図１に示す。バンド２の素材は、ポリエステルの平ゴムで輪になっており、上部になる飾り４は、素材とデザインは自由である。バンドの裏の足裏との接触面上に磁石３を取り付ける。
【符号の説明】
【０００８】
１  装飾バンド
２  バンド
３  磁石
４  飾り
【図１】
0003190209.tif 000003
【図２】
0003190209.tif 000004
【図３】
0003190209.tif 000005
【図４】
0003190209.tif 000006
【手続補正書】
【提出日】平成26年2月25日(2014.2.25)
【手続補正１】
【補正対象書類名】実用新案登録請求の範囲
【補正対象項目名】請求項１
【補正方法】変更
【補正の内容】
【請求項１】
足の甲にはめるバンドの足の甲にあたる部分に装飾具を取り付けたことを特徴とする、  ファッション性のある装飾バンド。
(57)【要約】      （修正有）【課題】二つの指圧突起で左右対称に挟むようにして指圧し、筋肉の疲労を解消し骨のズレを修復する骨盤仙骨指圧器を提供する。【解決手段】骨盤仙骨指圧器本体の、上面カバー３及び底面カバー４の両端に、腕２を設け、この腕を、軸７を支点にして開閉可動ができる構造とし、腕の先端に、指圧突起１を設ける。骨盤部は、中央部分に背骨との継ぎ目があり、指圧の位置は最小八センチ前後必要であって、両足大腿骨の関節部分の指圧位置は、一般成人には三十センチほどの間隔が必要である。したがって、二つの指圧突起部の間隔は、約五センチから最大三十センチぐらいまで開閉できるように構成している。【選択図】図４
0003190246.tif 000002
【実用新案登録請求の範囲】
【請求項１】
骨盤仙骨指圧器本体（９）の、上面カバー（３）及び底面カバー（４）の両端に、腕（２）を設けた構造を特徴とする骨盤仙骨指圧器。
【請求項２】
骨盤仙骨指圧器本体（９）の、両端に設けた腕（２）を、軸（７）を支点にして開閉可動ができる構造を特徴とする請求項１記載の骨盤仙骨指圧器。
【請求項３】
骨盤仙骨指圧器本体（９）の、両端に設けた腕（２）の先端に、指圧突起（１）を設けた構造を特徴とする請求項１記載の骨盤仙骨指圧器。
【考案の詳細な説明】
【技術分野】
【０００１】  本考案は、人体背部の骨盤及び仙骨周辺にある指圧のツボを、突起に体重を乗せて指圧する骨盤仙骨指圧器に関するものである。
【背景技術】
【０００２】  従来の、背中に突起を当てて体重を乗せて指圧する器具（例えば非特許文献参照）は、首と背骨の両側面を指圧するものである。【０００３】  しかしながらこの器具は、突起の間隔が固定されていて自由に間隔を変更できない構造になっている。したがって、人それぞれ体の大きさが異なり、骨盤の大きさが異なる広範囲にある骨盤のツボを指圧することができないという欠点があった。これでは最も疲労しやすい、身体の中心である骨盤周辺のツボを細かく指圧することができない。
【先行技術文献】
【特許文献】
【０００４】
【特許文献１】
【非特許文献】
【０００５】
【非特許文献１】発売元：中山産業株式会社、中山式快癒器（インターネット検索）
【考案の概要】
【考案が解決しようとする課題】
【０００６】  本考案は、以上のような従来の欠点に鑑み、一般成人の誰もが骨盤周辺のツボを指圧することができる、骨盤仙骨指圧器を提供することを目的としている。
【課題を解決するための手段】
【０００７】  上記目的を達成するために、本考案は、指圧する突起の間隔を開閉できるようにした。
図２ように、二つの指圧突起（１）を水平に開いて閉じる間隔の変更で、１ミリでも正確に指圧位置を選んで使用できるようにした。これが本考案の特徴である。
本考案は以上のようにして骨盤仙骨指圧器を構成している。
【考案の効果】
【０００８】  以上の説明から明らかなように、本考案にあっては次に列挙する効果が得られる。
〔１〕請求項１のように、骨盤仙骨指圧器本体（９）の両端に腕（２）を設けることにより、二つの指圧突起（１）の頂点を最大三十センチの間隔に開くことができる。【０００９】〔２〕請求項２のように、骨盤仙骨指圧器本体（９）の両端に設けた腕（２）を、軸（７）を支点にして開閉可動する構造により、二つの指圧突起（１）の頂点を最小五センチの間隔に閉じることができる。【００１０】〔３〕請求項３のように、骨盤仙骨指圧器本体（９）の両端に設けた腕（２）の先端に、指圧突起（１）を設けることにより、左右の手で指圧突起を持ち、腰を浮かし水平に移動開閉させ、骨盤中央部から周辺部まで全体を細かく、気持ち良い場所を選んで指圧することができ、骨盤周囲と大腿部の血流が増加し、寝入りが早まる。突起の刺激が強いと思う場合は、折りたたんだバスタオルを指圧突起（１）に被せて使用する。
腰痛の原因は、背骨を支えている骨盤の疲労が原因であることが多い。デスクワークも肉体労働もスポーツも、最も疲労するのは骨盤及び周囲の筋肉である。整体においても、骨盤や仙骨に二つのテニスボールを当てて指圧する方法が取り入れられている。
【図面の簡単な説明】
【００１１】
【図１】本考案の骨盤仙骨指圧器の、二つの腕（２）を最大に開いた、本考案を実施するための第一の形態の上面図である。
【図２】上面カバー（３）を上に開いた説明図。
【図３】本考案の骨盤仙骨指圧器の、二つの腕（２）を閉じた、本考案を実施するための第一の形態の正面図である。
【図４】本考案の骨盤仙骨指圧器の、二つの腕（２）を最大に開いた、本考案を実施するための第一の形態の正面図である。
【図５】ＡＢ線部分上面説明図。
【図６】ＣＤ線断面説明図。
【図７】骨盤仙骨指圧器の使用説明図。
【考案を実施するための形態】
【００１２】  以下、本考案の実施の形態を図に基づいて説明する。
【実施例１】
【００１３】  図１は、本考案の実施例１の上面図、図４は、本考案の実施例１の正面図であって、二つの腕（２）を最大に開き大腿骨の関節部周辺を指圧する。
以下、腰を浮かせて指圧突起（１）をそれぞれ左右の手で持ち、図２のように指圧突起（１）を開閉させ、指圧器全体を上下させ、図７のように体重を乗せて指圧する。
なお、長方形の箱の中で二つの指圧突起（１）を水平にスライドさせ、間隔を開閉させる構造の指圧器も作製できるが、意匠的に新しい本考案の構造の方を選んだ。
【産業上の利用可能性】
【００１４】  本考案の骨盤仙骨指圧器全体を、木材で作製すれば、木工産業で利用される。【００１５】  本考案の骨盤仙骨指圧器全体を、プラステックで作製すれば、プラスチック産業で利用される。
【符号の説明】
【００１６】１  指圧突起
２  腕
３  上面カバー
４  底面カバー
５  背面カバー
６  前面カバー
７  軸
８  軸受け穴
９  骨盤仙骨指圧器本体
【図１】
0003190246.tif 000003
【図２】
0003190246.tif 000004
【図３】
0003190246.tif 000005
【図４】
0003190246.tif 000006
【図５】
0003190246.tif 000007
【図６】
0003190246.tif 000008
【図７】
0003190246.tif 000009
(57)【要約】      （修正有）【課題】大規模災害時に停電又は電源が直接確保できなくなった場合にでも看板表示機能の維持を期待される公共的施設や商業施設での表示看板の電照を維持させ、安全地域への避難時におけるパニックを少しでも解消させることを実現化するために３０分以上点灯するバックアップ機能を付加した薄型電照看板を提供する。【解決手段】薄型で軽量な筐体と、その筐体の内部に設けられたＬＥＤ光源４と、意匠広告等を表示する表示パネルと、ＬＥＤ光源４に接続された蓄電池５と、商用交流電源１からＬＥＤ光源４及び蓄電池５へ交流から直流へ変換し電力を供給する電源装置２と、停電時に蓄電池５からの電力供給へ自動変換する回路７を備える。【選択図】図１
0003190245.tif 000002
【実用新案登録請求の範囲】
【請求項１】
薄型で軽量な筐体と、
前記筐体の内部に設けられたＬＥＤ光源と、
前記筐体の内部に設けられ、前記ＬＥＤ光源により照明され、意匠広告を表示する表示パネルと、
前記筐体の内部に設けられ、前記ＬＥＤ光源に接続された蓄電池と、
商用電源から前記ＬＥＤ光源及び蓄電池へ電力を供給するとともに、交流から直流に変換する電源装置と、
停電時に蓄電池からの電力供給へ自動変換する回路と、
を備えるＬＥＤ薄型電照看板。
【考案の詳細な説明】
【技術分野】
【０００１】本考案は、停電時でもバックアップ機能としての小型の蓄電回路を設けることにより３０分以上の点灯を維持することが可能なＬＥＤ薄型電照看板装置に関するものである。
【背景技術】
【０００２】警察署、消防署、病院、医院等の各種緊急施設の所在地を、停電の有無にかかわらず夜間、標示する照明システムに関するものが提案されている（特許文献１）。【０００３】しかしながら、この照明システムは緊急施設向けに且つ太陽電池モジュールにより蓄電した電力により赤色ＬＥＤを連続的に点灯又は定期的に点滅させる緊急施設標示用照明システムであり汎用性に欠ける。また、一般的に商用で利用されるＬＥＤ薄型電照看板にはバックアップ機能が付帯されておらず、大規模災害時に電源が直接確保できなくなった場合にでも看板表示機能の維持を期待される公共的施設や商業施設での電照機能を発揮させるためには万全ではない。
【先行技術文献】
【特許文献】
【０００４】
【特許文献１】特開平０７−２１９４６７号公報
【考案の概要】
【考案が解決しようとする課題】
【０００５】本考案は、以上のような従来の欠点に鑑み、停電時や電源が断線した際にもバックアップ機能が作動することにより３０分以上光源を点灯させて大規模災害時に看板表示機能の維持を期待される公共的施設や商業施設での看板表示の電照を維持させ、安全地域への避難時におけるパニックを少しでも解消させることである。
【課題を解決するための手段】
【０００６】上記目的を達成するために、本考案は薄型電照看板内部に電源とＬＥＤモジュールとの間に別回路として電源装置と蓄電池を接続し、通電時は常時充電を行い、停電時は蓄電池からの放電により３０分以上ＬＥＤ光源を点灯させて電照看板機能を維持させることにより、上記課題を解決する。
【考案の効果】
【０００７】本考案によれば、大規模災害時に停電時や電源が断線した際にもバックアップ機能が自動作動し、これにより光源が点灯して薄型電照看板が機能するので、３０分以上は通常の広告表示が可能となる。また、光源が維持されることにより、暗所で衝突して怪我をしたり逃げ遅れたりすることが少なくなり、広告表示により位置関係も把握できるので、パニックに陥ることなく安全かつ短時間で避難することができる。
【図面の簡単な説明】
【０００８】
【図１】本考案の一実施の形態に係るＬＥＤ薄型電照看板を示す電気回路図である。
【図２】図１の筐体を示す正面斜視図である。
【図３】図１の筐体を示す背面斜視図である。
【考案を実施するための形態】
【０００９】本考案に係る電照看板は屋内及び屋外において、特に大規模災害時に電源が直接確保できなくなった場合にでも看板表示機能の維持を期待される公共的施設や商業施設に設けられ、大規模災害時に停電時や電源が断線した際にもバックアップ機能が自動作動し、これによりＬＥＤ光源が消灯することなく点灯し続けることにより、３０分以上は通常の広告表示が可能となるＬＥＤ薄型電照看板である。本電照看板の筐体▲１▼は薄型で軽量且つ丈夫な樹脂などで構成されており、万が一落下した場合でも被害を最小限に留めることが可能である。表示パネル▲２▼はアクリル樹脂などのように割れ難く、軽量な材料で構成されており、こうした材料のパネル表面に意匠広告等を表示する。また、看板内部に設けられたＬＥＤ光源４は電照看板の正面及び背面の両面を内部から照らすことが可能であり、導光板などを介して表示パネル▲２▼全体を照らすことができる。
【００１０】図１は本考案に係るバックアップ機能を付加しＬＥＤ薄型電照看板の回路構成を示すブロック図である。看板内部に設けられたＬＥＤ光源４と、通常時は常時充電されている蓄電池（二次電池）５と、商用交流電源１からＬＥＤ光源４及び蓄電池（二次電池）５へ交流から直流へ変換し電力を供給する電源装置（整流器）２と、通常時商用交流電源１からＬＥＤ光源４に電力を供給する際の電源を入切するスイッチ３と、停電時に蓄電池（二次電池）５からの放電によるＬＥＤ光源４への電力供給に自動的に変換する停電時電力供給自動変換回路７とその自動スイッチ６から構成されている。
【００１１】図２に筐体▲１▼の正面斜視図、図３に筐体▲１▼の背面斜視図を示す。筐体▲１▼内部に設けられたＬＥＤ光源４が停電時でも３０分以上両面点灯を維持させることにより、大規模災害時に暗所で衝突して怪我をしたり逃げ遅れたりすることが少なくなり、広告表示により位置関係も把握できるので、パニックに陥ることなく安全かつ短時間で避難することができる。また、入切スイッチ▲３▼が破損した場合や電源コード▲４▼が切断された場合、さらにその複合ケースと連動して筐体▲１▼が落下した場合においても筐体▲１▼内部に小型の蓄電池（二次電池）５を設けることによりＬＥＤ光源４の点灯が維持され、周辺の照明を代替することも可能である。
【産業上の利用可能性】
【００１２】本考案は、電照看板を製造する産業で利用される。
【符号の説明】
【００１３】１商用交流電源
２電源装置（整流器）
３スイッチ
４ＬＥＤ光源
５蓄電池（二次電池）
６自動スイッチ
７停電時電力供給自動変換回路
▲１▼筐体
▲２▼表示パネル
▲３▼入切スイッチ
▲４▼電源コード
【図１】
0003190245.tif 000003
【図２】
0003190245.tif 000004
【図３】
0003190245.tif 000005
(57)【要約】【課題】  本考案は足場のＵボルトを使った足場の鋼製布板横ずれ防止金具を提供して作業効率の向上と繰返し使用できる事によるコストダウンを目的としている。【解決手段】この考案の締付金具は番線に代わる強度を要し、番線のように小運搬の容易な特徴をもつ作業性の良い金具とする為に、Ｕボルト１と約１８０度の範囲で回転可能に軸支された回転する締付用ボルト４を建枠の横架材巻き付けてナット５をナットを受ける部材３に引っ掛けてナット５を電動工具で締め付ける事でＵボルト１と回転する締付用ボルト４が建枠の横架材を締め付けて鋼製布板横ずれ防止金具に当たって鋼製布板をずれないようする機能を有するＵボルトを使った足場の鋼製布板横ずれ防止金具を構成しているため、電動工具でボルトの締め付けと取り外しが出来るので経験の浅い作業員でも作業効率の向上と繰返し使用が出来るのでコストダウンとなる。【選択図】図１
0003190244.tif 000002
【実用新案登録請求の範囲】
【請求項１】
建枠の横架材の外径に合うＵボルトの片側に回転軸受け部材がネジ又は圧着で結合され、その回転軸受け部材の穴と回転する真っ直ぐな締付用ボルトの端部に付いている円筒の空洞になっている位置とを合わせて、その中にリベットピンを差込んでリベットの頭の無い側を押しつぶして締付用ボルトを固定させる事により約１８０度の範囲で回転可能に軸支された締付用ボルトが回転し、Ｕボルトのもう一方にはナットを受け止める部材をネジ又は圧着で結合されて、そのナットを受け止める部材に回転する締付用ボルトのナットを引っ掛け、ナットを締付ける事により建枠の横架材をＵボルトと締付用ボルトで締付る事を可能とする事を特徴とするＵボルトを使った足場の鋼製布板横ずれ防止金具。
【請求項２】
回転する締付用ボルトの形状を建枠の横架材との密着性を良くするために回転軸となるリベットピン側から横架材の頂点位までの範囲の締付用ボルトを横架材の外径に沿うように円形に曲げていることを特徴とする請求項１記載のＵボルトを使った足場の鋼製布板横ずれ防止金具。
【考案の詳細な説明】
【技術分野】
【０００１】本考案は足場の鋼製布板横ずれ防止金具に関するものである。
【背景技術】
【０００２】従来の仮設足場の作業床の床材間の隙間は労働安全衛生規則で３ｃｍ以下にする様に決められているが、建枠の作業床に最初２枚の鋼製布板の隙間を３ｃｍ以下に敷いていても作業床で作業を行うと、大勢の人が作業床を動きまわる事により徐々に鋼製布板が横ずれして隙間が３ｃｍ以上になってしまっていた。
【先行技術文献】
【非特許文献】
【０００３】
【非特許文献１】二藤レール株式会社  なまし番線、加工番線
【考案の概要】
【考案が解決しようとする課題】
【０００４】従来は次のような欠点があった。
鋼製布板がずれないように隣り合う鋼製布板のつめ金具を番線で縛って固定して鋼製布板の横ずれを防止していたが、その作業を行うには番線を切断し鋼製布板のつめ金具の隙間に番線を通して番線を締める必要があったが、それは手作業となり作業能率が悪く、番線も使い捨てとなっていた。
本考案は、以上のような従来の欠点を鑑み、Ｕボルトを使った足場の鋼製布板横ずれ防止金具を提供して作業効率の向上と繰返し使用できる事によるコストダウンを目的としている。
【課題を解決するための手段】
【０００５】    上記目的を達成するために、本考案は、従来のように隣り合う鋼製布板のつめ金具同士を番線で手作業で固定する事によって鋼製布板の横ずれを防止するのではなく、作業性の良い鋼製布板の外側に熟練工でなくても作業が簡単にできるようにボルトナットを締付け電動工具で締め付ける金具を考案することによりこの課題を解決するための手段とする。【０００６】この考案の締付金具は番線に代わる強度を要し、番線のように小運搬の容易な特徴をもつ作業性の良い金具とする為に、Ｕボルト１と回転する締付用ボルト４を建枠の横架材巻き付けてナット５をナットを受ける部材３に引っ掛けてナット５を電動工具で締め付ける事でＵボルト１と回転する締付用ボルト４が建枠の横架材を締め付けて鋼製布板横ずれ防止金具に当たって鋼製布板をずれないようする機能を有するＵボルトを使った足場の鋼製布板横ずれ防止金具を構成している。
【考案の効果】
【０００７】以上の説明から明らかなように、本考案にあっては締付部材にボルトを採用した事により金具の軽量化が図られ、ナットを電動工具で締め付ける事により作業効率の向上が得られ、金具の繰返し使用できる事によるコストダウンが可能となった。
【図面の簡単な説明】
【０００８】
【図１】はＵボルトを使った足場の鋼製布板横ずれ防止金具を建枠の横架材に締め付けた時の平面図
【図２】は［図１］をイーイ方向から見た時の見下げ図
【図３】は［図１］をローロ方向から見た時の見上げ図
【図４】は［図１］をハーハ方向から見た図
【図５】は［図１］をニーニ方向から見た図
【図６】はＵボルトを使った足場の鋼製布板横ずれ防止金具を建枠の横架材に差込む時の平面図
【図７】はナットの斜視図
【図８】は回転する締付用ボルトの斜視図
【図９】は回転する締付用ボルトのナットを受ける部材の斜視図
【図１０】は回転する締付用ボルトの回転軸受け部材の斜視図
【図１１】は回転する締付ボルトの回転軸となるリベットピンの斜視図
【図１２】はＵ字ボルトの斜視図
【図１３】はジョイントのメネジ部分の斜視図
【考案を実施するための形態】
【０００９】以下、本考案の実施の形態を図に基づいて説明する。
【実施例１】
【００１０】図１はＵボルトを使った足場の鋼製布板横ずれ防止金具を建枠の横架材に巻き付けてナットで締め付けた時の平面図である。
【実施例２】
【００１１】図２、図３、図４、図５は図１を四方から見た図である。
【実施例３】
【００１２】図６は本考案のＵボルトを使った足場の鋼製布板横ずれ防止金具を下から建枠の横架材に差込む時の平面図である。
【符号の説明】
【００１３】１  建枠の横架材を締付けるＵボルト
２  Ｕボルトと回転軸受け部材のジョイント
３  Ｕボルトとナットを受ける部材のジョイント
４  回転する締付用ボルト
５  ナット
６  リベットピン
７  オネジ部分
８  メネジ部分
９  鋼製布板のつめ金具（一点鎖線部、本考案対象外）
１０  建枠の横架材（一点鎖線部、本考案対象外）
【図１】
0003190244.tif 000003
【図２】
0003190244.tif 000004
【図３】
0003190244.tif 000005
【図４】
0003190244.tif 000006
【図５】
0003190244.tif 000007
【図６】
0003190244.tif 000008
【図７】
0003190244.tif 000009
【図８】
0003190244.tif 000010
【図９】
0003190244.tif 000011
【図１０】
0003190244.tif 000012
【図１１】
0003190244.tif 000013
【図１２】
0003190244.tif 000014
【図１３】
0003190244.tif 000015
(57)【要約】      （修正有）【課題】簡単な構造で携帯に便利な、車両がその場所でＵターン又は方向転換することを実現可能な携帯式の車両同所方向転換・Ｕターン装置を提供する。【解決手段】基台１を含み、縦軸５が基台１に取り付けられ、縦軸５がジャッキ２を介してメインビーム３に接続し、メインビーム３の両端に二対の支持アーム４が各々設けられ、支持アーム４が回転軸６を中心に回動可能であり、各支持アーム４に支え板７が設けられる。ジャッキ２がエアージャッキか油圧ジャッキであり、メインビーム３にトップキャップ８が設けられる。支え板７がトップキャップ８と同一水平面上にある。ジャッキで制御される縦軸及び車両を支持するメインビームと支持アームを設けることにより、車両を地面から僅か一定の高さでジャッキアップさせることができ、それに人の力によって軽く押して車両を方向転換させ、車両をその場所でＵターンさせることができる。【選択図】図１
0003190974.tif 000002
【実用新案登録請求の範囲】
【請求項１】
携帯式の車両同所方向転換・Ｕターン装置において、基台（１）を含み、縦軸（５）が基台（１）に取り付けられ、縦軸（５）がジャッキ（２）を介してメインビーム（３）に接続し、メインビーム（３）の両端に二対の支持アーム（４）がそれぞれ設けられ、支持アーム（４）が回転軸（６）を中心に回動可能であり、各支持アーム（４）に支え板（７）がさらに設けられることを特徴とする携帯式の車両同所方向転換・Ｕターン装置。
【請求項２】
請求項１記載の携帯式の車両同所方向転換・Ｕターン装置において、前記のジャッキ（２）がエアージャッキか油圧ジャッキであることを特徴とする携帯式の車両同所方向転換・Ｕターン装置。
【請求項３】
請求項１記載の携帯式の車両同所方向転換・Ｕターン装置において、メインビーム（３）にトップキャップ（８）がさらに設けられることを特徴とする携帯式の車両同所方向転換・Ｕターン装置。
【請求項４】
請求項１または３記載の携帯式の車両同所方向転換・Ｕターン装置において、前記支え板（７）がトップキャップ（８）と同一水平面上にあることを特徴とする携帯式の車両同所方向転換・Ｕターン装置。
【請求項５】
請求項１または３記載の携帯式の車両同所方向転換・Ｕターン装置において、メインビーム（３）がアルミ合金で作製されることを特徴とする携帯式の車両同所方向転換・Ｕターン装置。
【考案の詳細な説明】
【技術分野】
【０００１】
本実用新案は、車両補助装置に関わり、具体的に車両のその場所でのＵターンまたは方向転換ができる装置に関する。
【背景技術】
【０００２】
社会の進歩と交通の発展につれて、道路上を走行する車両がますます多くなっている。一部の曲がりくねる山道や一方通行で１台の車両しか走行できない小道では、車両のＵターンが非常に困難となる。２台の車が遭遇しかつＵターンできる場所がないとき、１台の車が来た道を逆走行して戻るしかできず、運転のテクニックがそれほど熟練していない人にとって困難なものである。都市部の住宅地の道路の終わりにおいても、同様な状況が存在する。
【考案の概要】
【考案が解決しようとする課題】
【０００３】
本実用新案は、従来技術の欠陥に対し、簡単な構造で携帯に便利な、車両がその場所でＵターンまたは方向転換をすることを実現可能な装置の提供を目的とする。
【課題を解決するための手段】
【０００４】
本実用新案の目的は、携帯式の車両同所方向転換・Ｕターン装置において、基台を含み、縦軸が基台上に取り付けられ、縦軸がジャッキを介してメインビームに接続し、メインビームの両端に二対の支持アームがそれぞれ設けられ、支持アームが回転軸を中心に回動可能であり、各支持アームに支え板がさらに設けられること、前記のジャッキがエアージャッキか油圧ジャッキであること、メインビームにトップキャップがさらに設けられること、前記支え板がトップキャップと同一水平面上にあること、メインビームがアルミ合金で作製されること、によって実現される。
【考案の効果】
【０００５】
本実用新案による携帯式の車両同所方向転換・Ｕターン装置は、ジャッキで制御される縦軸、および、車両を支持するメインビームと支持アームを設けることによって、車両を地面から一定の高さでジャッキアップさせることができ、それに人の力によって車両を回動させ、車両をその場所でＵターンさせることができる。本実用新案は、構造が簡単であり、操作しやすく、信頼性が高く、保守コストが低く、特に狭くて、車両のＵターンができない道路に好適に使用される。支え板とトップキャップが同一の水平面上にあることによって、車両のバランスを取ることができる。メインビームは、アルミ合金で作製され、構造がしっかりして軽い。
【図面の簡単な説明】
【０００６】
【図１】本実用新案の斜視図である。
【図２】本実用新案の平面図である。
【図３】本実用新案の正面図である。
【考案を実施するための形態】
【０００７】
以下、図面と実施例とともに本実用新案をさらに説明する。
【０００８】
本実用新案は、その構造が図１〜３に示すように、携帯式の車両同所方向転換・Ｕターン装置であって、基台１を含み、縦軸５が基台１に取り付けられ、縦軸５がジャッキ２を介してメインビーム３に接続し、メインビーム３の両端に二対の支持アーム４がそれぞれ設けられ、支持アーム４が回転軸６を中心に回動可能であり、各支持アーム４に支え板７がさらに設けられ、前記のジャッキ２がエアージャッキか油圧ジャッキであり、メインビーム３にトップキャップ８がさらに設けられ、前記支え板７がトップキャップ８と同一水平面上にあり、メインビーム３がアルミ合金で作製される。
【０００９】
本実用新案の可動原理は、以下のとおりである。車両がその場所でのＵターン作業が必要となったとき、本装置を車両の車台の下に置く。支持アーム４が回転軸６を中心に回動可能であるため、４つの支持アーム４が開くようにし、支持アーム４上の支え板７を支持点として、車両の両側の耐荷重ビームに載置する。ジャッキ２で車両をゆっくりとジャッキアップさせ、車両の四輪を大地から離れさせ、人の力で車両を縦軸５を中心に回転するように押し、車両のＵターンまたは方向転換させることができる。
【００１０】
ジャッキ２は、油圧ジャッキかまたはエアージャッキを用いることができるが、エアージャッキであれば車両自体から電源を供給することができる。
【図１】
0003190974.tif 000003
【図２】
0003190974.tif 000004
【図３】
0003190974.tif 000005
(57)【要約】      （修正有）【課題】販売者側が特に売りたい商品、あるいはＰＲしたい新商品を購入者側へ伝えることができ、売上向上に繋がるターンテーブルを備えた飲料自動販売機を提供する。【解決手段】飲料自動販売機１の商品陳列台の任意の場所に商品を載せて回転するターンテーブル３を設置し、飲料缶２、あるいはペットボトル商品を載せて回転させる。ターンテーブルの形状は円形、六角形、多角形とし、壁面には文言、彩色を施すのが好ましい。コイン又は紙幣投入口５にお金を入れて、ターンテーブルに置かれた飲料缶や飲料瓶デイスプレイ商品の下にそれぞれ表示されている購入希望商品の選択ボタン４を押すことにより目的の商品が取出口から取り出せる。【選択図】図１
0003190920.tif 000002
【実用新案登録請求の範囲】
【請求項１】
飲料自動販売機（１）の商品陳列台の任意の場所に商品を載せて回転するターンテーブル（３）を設置した後に飲料缶（２）、あるいはペットボトル商品を載せて回転させることを特徴とする自動回転式ターンテーブル（３）を備えた飲料自動販売機の構造。
【請求項２】
前記ターンテーブルの形状は円形、六角形、多角形でなり、該壁面には文言、彩色を施すことによるＰＲ用途を備え、該材質については透明、不透明、着色、にて木材、塩ビ、アルミ、スチール、ガラス、ポリプロピレン、プラステイック、再生ポリスチレン、ポリスチレン製で製造したことを特徴とする請求項１記載の飲料自販機の構造。
【考案の詳細な説明】
【技術分野】
【０００１】  飲料水、コーヒー、ジュース、菓子、食品などを入れてなる飲料缶及び飲料瓶、食品製品を陳列して置き、コインや紙幣、クレジットカードで販売することを目的とした自動販売機にあって、本考案のターンテーブル式設置台を備た客の注目効果による大きな売上効果をもたらす自動販売機の構造に係わる。
【技術背景】
【０００２】  従来の自動販売機の陳列台の形状は各種存在したが、陳列商品自体を回転させるディスプレイ機能を持つものはなかった。本考案の自販機に依ることでより強力な注目、集客効果による売り上げ高アップが期待される。
【考案の概要】
【考案が解決しようとする課題】
【０００３】  本考案に依れば、客の目線からは動く商品が静止した商品より目線を呼びこみやすく宣伝効果が向上する。さらに表示ラベル正面だけを見るより、回転により裏面の宣伝面積も回転んにより前面のみよりも拡大する効果を目的とする。
【課題を解決するための手段】
【０００４】  本考案の自動販売機の商品陳列棚に電動による自動回転式ターンテーブルを設置する。【０００５】  ターンテーブルは陳列商品全部を回転する設定でも良く、各陳列台において１台あるいは必要に応じて複数台の設置でも良い。【０００６】  設置された本考案の任意のターンテーブル上にお薦め商品、新商品などを置いて回転させることによって購買意欲を高めさせる。
【図面の簡単な説明】
【０００７】
【図１】  本願考案の飲料自販機を例としたターンテーブル付き自動販売機の正面図である。
【図２】  本願考案のターンテーブルに飲料缶を置いた平面図である。
【符号の説明】
【０００８】１・・・・・・・  飲料自動販売機
２・・・・・・・  デイスプレイ商品
３・・・・・・・  ターンテーブル
４・・・・・・・  商品選択ボタン
５・・・・・・・  コイン投入口
６・・・・・・・  商品取出し口
【図１】
0003190920.tif 000003
【図２】
0003190920.tif 000004
(57)【要約】      （修正有）【課題】油膜や水垢等の汚れがつきやすく、且つ湿度が高い浴場等設置される鏡において、おもて面の清掃コストを下げ、うら面の劣化を抑えた鏡を提供する。【解決手段】浴場等の湿度が高く且つ水分を流しかける事ができる箇所に設置される鏡１０であって、鏡のおもて面には無光触媒２の溶剤を塗布し、うら面には防湿の溶剤３を塗布した上に重ねて無光触媒を塗布することにより、おもて面は長期間美しい反射を保つことができ、うら面はおもて面における反射を支える銀幕の腐食の進行を抑えることができる。【選択図】図１
0003190967.tif 000002
【実用新案登録請求の範囲】
【請求項１】
浴場等の湿度が高く且つ水分を流しかける事ができる箇所に設置される鏡であって、鏡のおもて面には無光触媒の溶剤を塗布し、うら面には防湿の溶剤を塗布した上に重ねて無効触媒を塗布することを特徴とする鏡。
【考案の詳細な説明】
【技術分野】
【０００１】
本考案は、おもて面に無光触媒加工処理を施し、うら面に防湿加工処理及び無光触媒加工処理を施すことにより、本体清掃の為の労働負担を軽減し、腐食のスピードを抑え、長期間に渡り美しい反射を保つ鏡に関するものである。
【背景技術】
【０００２】
浴場内においては、鏡のおもて面に油膜や水垢、汚れ物質などが付着し易い環境にある。このような場合、一般的には市販の研磨剤等で磨くことや、専門の清掃業者に汚れの除去を依頼する等によって対応している。
【０００３】
また、鏡のうら面は反射用の銀幕等が貼られており、これによっておもて面にて光を反射することで対象物を映し出している。この銀幕は、ガラスに密着して貼り付けることで水分等の侵入を防ぎ劣化を防止しているが、湿度が高い浴場内での長期間の使用ではカビの繁殖等によって劣化が早く進んでしまう。
【考案の概要】
【考案が解決しようとする課題】
【０００４】
鏡のおもて面に油膜や水垢、汚れ物質などの付着を除去するために市販の研磨剤等で磨いた場合、表面に細かい傷が入り、更にその傷に汚れが付着するという悪循環となってしまう。また、これらの汚れの除去を専門の業者に依頼した場合は、非常に高価である。
【０００５】
例えば入浴施設を持った旅館、ホテル及び温泉施設等においては、施設利用時間が長時間に及ぶ為、鏡表面への付着物質も多く専用の洗剤、研磨剤等で磨く必要があるため毎日の清掃作業にかかる労働コストの負担が大きい。
また、湿度が高い浴場に長時間設置されるため、うら面に湿気が溜まりやすく、壁面との空間が狭く清掃作業の手が及ばないために、かびや雑菌の繁殖を抑えにくく劣化のスピードを抑える事ができない。
【課題を解決するための手段】
【０００６】
本考案は、浴場等の湿度が高く且つ水分を流しかける事ができる箇所に設置される鏡であって、鏡のおもて面には無光触媒の溶剤を塗布し、うら面には防湿の溶剤を塗布した上に重ねて無光触媒を塗布することにより、おもて面は長期間美しい反射を保つことができ、うら面はおもて面における反射を支える銀幕の腐食の進行を抑えることができる。
【考案の効果】
【０００７】
上述のように、本考案の鏡は浴場施設内において、水を流し掛けるだけでおもて面の清掃を行うことができるため専用の洗剤、研磨剤等で磨く必要もなくまた、毎日の清掃作業にかかる労働コストの負担も軽減できる。また、うら面においての清掃作業はおもて面と同じように水を流しかけるだけであり、防湿、防汚、防かび、抗菌効果により劣化のスピードを抑えることができる。
更に、雑菌の繁殖を抑えることによる安全性の向上にもつながり衛生管理上の負担も軽減でき、利用者に対しても快適な利用を提供することができる。
【図面の簡単な説明】
【０００８】
【図１】本考案の鏡の側面断面図である。
【図２】本考案の鏡を設置する場合の背面図である。
【考案を実施するための形態】
【０００９】
鏡本体を設置する場所の壁面に、鏡本体を支えるための市販されている専用の金具を設置し、更に壁面と本体の空間を埋めるために市販されている専用の両面接着パッドを本体の裏側の壁面に部分的に２ヶ所以上貼り、設置した専用の金具に鏡本体をはめ込む。
このように設置することにより、パッドの厚みで壁面と本体との間に空間ができるため、清掃時には水が流れ落ちやすく乾燥も早い。そのため、うら面に施した無光触媒防湿加工処理の効果が高まる。
【実施例】
【００１０】
以下、添付図面に従って実施例を説明する。
図1は、本考案の鏡１０の側面断面図である。ガラス１のおもて面に無光触媒２が塗布されている。ガラス１のうら面には、銀幕４が貼り付けてあり、その上に重ねて防湿剤３が塗布され、更にその上に重ねて無光触媒２が塗布されている。
図２は、本考案の鏡１０を設置する場合の背面図である。
鏡上部設置専用留金具５は、鏡１０の上部を支える金具であり、鏡下部設置専用留金具６は、鏡１０の下部を支える金具である。これらの金具５、６は、例えば壁面にネジ止め等によって固定される。
両面接続専用パッド７は、鏡１０のほぼ中央部分に配置し、壁面と両面接続する。これによって、鏡１０を設置した際に中央部分への応力による割れや破壊を防止することができる。
本実施例では、専用パッド７と専用金具５、６により鏡１０の本体は設置場所に固定することができ、更に、専用パッド７及び専用金具５、６の厚みにより鏡１０の本体と壁面との間に空間ができる事によりうら面に水を流しかけることが可能となり、無光触媒による効果を高める事ができる。
【符号の説明】
【００１１】
１  ガラス
２  無効触媒
３  防湿剤
４  銀幕
５  鏡上部設置専用留金具
６  鏡下部設置専用留金具
７  両面接着専用パッド
１０  鏡
【図１】
0003190967.tif 000003
【図２】
0003190967.tif 000004
(57)【要約】      （修正有）【課題】ミラーと画面とを同時に見る事ができると共に、ミラーの収納時に画面を見る事ができるスマートフォンケースを提供する。【解決手段】スマートフォン２００に取り付けられるスマートフォンケース１００であって、スマートフォン２００の底部と側面３を覆い、スマートフォン２００の下方側に開口する内部空間を有するケース本体１と、ケース本体１の空間に収納されケース本体１の内部からプッシュボタン６で外部にスライド移動して突出し、ミラー７が設けられるミラー支持部８とを備えるスマートフォンケース１００とする。【選択図】図１
0003190981.tif 000002
【実用新案登録請求の範囲】
【請求項１】
スマートフォンに取り付けられるスマートフォンケースであって、スマートフォンの底部と側面を覆い、スマートフォンの下方側に開口する内部空間を有するケース本体と、ケース本体の空間に収納されケース本体の内部からプッシュボタンで外部にスライド移動して突出し、ミラーが設けられるミラー支持部とを備えるスマートフォンケース。 
【請求項２】
ミラー支持部は、ばね付き蝶つがいで前面に角度を可動できる請求項１に記載のスマートフォンケース。
【考案の詳細な説明】
【技術分野】
【０００１】
スマートフォンに取り付けられるスマートフォンケースに関する。
【背景技術】
【０００２】
現在市場に出回っているミラー付きスマートフォンケースは、ケースの裏側（スマートフォン画面の反対側）にミラーがあるものと、前面カバー付きケースのカバーの表面や裏面にミラーが付いているものがある。ケースの裏側にミラーがあるものでは、ミラーと同時にスマートフォンの画面を見ることはできない。また、前面カバー付きのケースの表面にミラーが付いているタイプでは、画面を見る為にカバーを開くとミラーが見ることができない。前面カバー付きケースの裏面にミラーが付いているタイプは画面を見ている時には常にミラーが出ていて画面だけを見る事ができない。ミラーをしまう為にはカバーを閉じる必要があり、スマートフォンの画面も見ることができなくなる。
【先行技術文献】
【特許文献】
【０００３】
【特許文献１】特許第５２２０９３０号公報
【考案の概要】
【考案が解決しようとする課題】
【０００４】
ミラーと画面とを同時に見る事ができると共に、ミラーの収納時に画面を見る事ができるスマートフォンケースを提供する事を目的とする。
【課題を解決するための手段】
【０００５】
（１）スマートフォンに取り付けられるスマートフォンケースであって、スマートフォンの底部と側面を覆い、スマートフォンの下方側に開口する内部空間を有するケース本体と、ケース本体の空間に収納されケース本体の内部から外部にスライド移動して突出し、ミラーが設けられ前面に可動するミラー支持部とを備えるスマートフォンケース。
【０００６】
（２）ミラー支持部は、ばね付き蝶つがいで前面に角度を可動できる請求項１に記載のスマートフォンケース。
【考案の効果】
【０００７】
（１）の考案によれば、ミラーと画面とを見る事ができると共に、ミラーの収納時にも画面を見る事ができるスマートフォンケースを提供できる。
また、（２）の考案によれば、ミラーと画面との角度を調節して同時に見る事ができるスマートフォンケースを提供できる。
【図面の簡単な説明】
【０００８】
【図１】本考案の実施形態に係るスマートフォンケースの正面図である。
【図２】前記実施形態に係るスマートフォンケースの側面図である。
【図３】前記実施形態に係るスマートフォンケースの内部を説明する図である。
【図４】前記実施形態に係るスマートフォンケースの下方側面図である。
【図５】前記実施形態に係るスマートフォンケースのミラー支持部が突出した 側面図である。
【図６】前記実施形態に係るスマートフォンケースのミラー支持部が突出した        時の内部を説明する図である。
【図７】前記実施形態に係るスマートフォンケースのミラー支持部が突出し、前面に可動した時の側面図である。
【図８】前記実施形態に係るスマートフォンケースのミラー支持部が突出し、 前面に可動した時の内部を説明する図である。
【考案を実施するための形態】
【０００９】
図１は、本考案の実施形態に係るスマートフォンケースの正面図である。スマートフォンケース１００は、スマートフォン本体１とミラー支持部突出用プッシュボタン６とミラー支持部８とを備え、上面が開放された箱状に形成されている。
【００１０】
図２は、前記実施形態に係るスマートフォンケースの側面図である。スマートフォン本体１は、（図１）スマートフォン２００の底部２と側面３を覆っている。
【００１１】
図３は、前記実施形態に係るスマートフォンケースの内部を説明する図である。（図１）スマートフォン本体１は、スマートフォン２００の下方側に開口部４を有する内部空間５が形成される。
【００１２】
図５は、前記実施形態に係るスマートフォンケースのミラー支持部が突出した側面図で
ある。ミラー支持部８は、ミラー支持部突出用プッシュボタン６を押す事で（図３）スマートフォンケース下方ミラー支持開口部４より突出する機能を有する。
【００１３】
図７は、前記実施形態に係るスマートフォンケースのミラー支持部が突出し、前面に可動した時の側面図である。ミラー支持部８は、前面側に押す事で、前面可動用ばね付き蝶つがい９が可動し、前面側に可動する機能を有する。
【符号の説明】
【００１４】
１  スマートフォンケース本体
２  スマートフォンケース底部
３  スマートフォンケース側面
４  スマートフォンケース下方ミラー支持開口部
５  スマートフォンケース本体空間部
６  ミラー支持部突出用プッシュボタン
７  支持部設置ミラー
８  ミラー支持部
９  前面可動用ばね付き蝶つがい
１００  スマートフォンケース
２００  スマートフォン
【図１】
0003190981.tif 000003
【図２】
0003190981.tif 000004
【図３】
0003190981.tif 000005
【図４】
0003190981.tif 000006
【図５】
0003190981.tif 000007
【図６】
0003190981.tif 000008
【図７】
0003190981.tif 000009
【図８】
0003190981.tif 000010